(57)【要約】【課題】有線接続による制限なく売上データ処理装置とドロア装置とを配置することである。【解決手段】売上データ処理装置１０は、ドロア装置２０に無線で電力を送信する。ドロア装置２０は、売上データ処理装置１０から無線で電力を受信し、当該受信した電力により、金銭を収納するドロアをオープンする。【選択図】図１
2010079687.tif 000002
【特許請求の範囲】
【請求項１】
無線で受信された電力により、金銭を収納するドロアをオープンするドロア装置に無線で電力を送信する電力送信手段を備えることを特徴とする売上データ処理装置。
【請求項２】
ドロア装置と無線で情報の通信を行う情報通信手段と、
この情報通信手段を介して前記ドロア装置のドロアをオープンさせるためのドロアオープン制御信号を当該ドロア装置に無線送信する制御手段と、を備えることを特徴とする請求項１に記載の売上データ処理装置。
【請求項３】
ドロア装置と無線で情報の通信を行う情報通信手段と、
この情報通信手段を介して前記ドロア装置のドロアに収納される現金の金額情報を当該ドロア装置に無線送信する制御手段と、を備えることを特徴とする請求項１に記載の売上データ処理装置。
【請求項４】
金銭を収納するドロアと、
無線で電力を送信する売上データ処理装置から無線で電力を受信する電力受信手段と、
この電力受信手段により受信された電力により、前記ドロアをオープンさせるドロアオープン手段と、
を備えることを特徴とするドロア装置。
【請求項５】
売上データ処理装置と無線で情報の通信を行う情報通信手段と、
この情報通信手段を介して前記ドロアをオープンさせるためのドロアオープン制御信号を前記売上データ装置から無線受信する制御手段と、を備え、
前記ドロアオープン手段は、
前記無線受信されたドロアオープン制御信号に基づき前記ドロアをオープンさせることを特徴とする請求項４に記載のドロア装置。
【請求項６】
売上データ処理装置と無線で情報の通信を行う情報通信手段と、
この情報通信手段を介して前記ドロアに収納される金銭の金額情報を前記売上データ処理装置から無線受信する制御手段と、
前記制御手段により無線受信された金銭の金額情報を記憶する記憶手段と、
を備えることを特徴とする請求項４に記載のドロア装置。
【請求項７】
売上データ処理装置のコンピュータを、
無線で受信された電力により、金銭を収納するドロアをオープンするドロア装置に無線で電力を送信する電力送信手段、
ドロア装置と無線で情報の通信を行う情報通信手段、
この情報通信手段を介して前記ドロア装置のドロアをオープンさせるためのドロアオープン制御信号を当該ドロア装置に無線送信する制御手段、
として機能させるプログラム。
【請求項８】
ドロア装置のコンピュータを、
無線で電力を送信する売上データ処理装置から無線で送信される電力を受信する電力受信手段、
売上データ処理装置と無線で情報の通信を行う情報通信手段、
この情報通信手段を介して、金銭を収納するドロアをオープンさせるためのドロアオープン制御信号を前記売上データ装置から無線受信する制御手段、
前記無線受信されたドロアオープン制御信号に基づき前記ドロアをオープンさせるドロアオープン手段、
として機能させるプログラム。
【発明の詳細な説明】
【技術分野】
【０００１】
本発明は、売上データ処理装置、ドロア装置及びプログラムに関する。
【背景技術】
【０００２】
従来、商品を販売する店舗に設置され、顧客が購入した商品の金額等の売上データを登録する売上データ処理装置として、ＥＣＲ（Electronic Cash Resister）やＰＯＳ（Point Of Sales）端末が知られている。
【０００３】
一般的な売上データ処理装置は、金銭を収納するためのドロアを備える。また、レジスタの登録を行うための本体部と、ドロアと、が別体である売上データ処理装置が知られている（例えば、特許文献１参照）。この売上データ処理装置では、本体部とドロアとが信号線で接続されている。この信号線を介して、本体部からドロアに電力供給を行うとともに、本体部からドロアへ送信されるドロアオープン制御信号等の通信がなされていた。
【０００４】
また、無線で電力を供給する技術が知られている。例えば、共鳴形ワイヤレス電力伝送において、６０ワットの電球を輝かせることに成功したことが開示されている（例えば、非特許文献１参照）。
【特許文献１】特開平６−１５０１４８号公報
【非特許文献１】Franklin Hadley,”Goobye wires…”,[online],June 7 2007, [２００８年８月１９日検索],インターネット，<URL:http://web.mit.edu/newsoffice/2007/wireless-0607.html>
【発明の開示】
【発明が解決しようとする課題】
【０００５】
しかし、従来の本体部とドロアとが別体の売上データ処理装置は、本体部及びドロアを比較的自由に配置できるが、信号線があるため、本体部及びドロアの配置に制限があった。さらに、信号線の配線作業が必要であり、売上データ処理装置の設置における作業者の作業負担も大きかった。
【０００６】
また、非特許文献１に記載のような無線電力伝送が考えられているが、売上データ処理装置への応用がなされていなかった。
【０００７】
本発明の課題は、有線接続による制限なく売上データ処理装置とドロア装置とを配置することである。
【課題を解決するための手段】
【０００８】
上記課題を解決するために、請求項１に記載の発明の売上データ処理装置は、無線で受信された電力により、金銭を収納するドロアをオープンするドロア装置に無線で電力を送信する電力送信手段を備えることを特徴とする。
【０００９】
請求項２に記載の発明は、請求項１に記載の売上データ処理装置において、ドロア装置と無線で情報の通信を行う情報通信手段と、この情報通信手段を介して前記ドロア装置のドロアをオープンさせるためのドロアオープン制御信号を当該ドロア装置に無線送信する制御手段と、を備えることを特徴とする。
【００１０】
請求項３に記載の発明は、請求項１に記載の売上データ処理装置において、ドロア装置と無線で情報の通信を行う情報通信手段と、この情報通信手段を介して前記ドロア装置のドロアに収納される金銭の金額情報を当該ドロア装置に無線送信する制御手段と、を備えることを特徴とする。
【００１１】
請求項４に記載の発明のドロア装置は、金銭を収納するドロアと、無線で電力を送信する売上データ処理装置から無線で電力を受信する電力受信手段と、この電力受信手段により受信された電力により、前記ドロアをオープンさせるドロアオープン手段と、を備えることを特徴とする。
【００１２】
請求項５に記載の発明は、請求項４に記載のドロア装置において、売上データ処理装置と無線で情報の通信を行う情報通信手段と、この情報通信手段を介して前記ドロアをオープンさせるためのドロアオープン制御信号を前記売上データ装置から無線受信する制御手段と、を備え、前記ドロアオープン手段は、前記無線受信されたドロアオープン制御信号に基づき前記ドロアをオープンさせることを特徴とする。
【００１３】
請求項６に記載の発明は、請求項４に記載のドロア装置において、売上データ処理装置と無線で情報の通信を行う情報通信手段と、この情報通信手段を介して前記ドロアに収納される金銭の金額情報を前記売上データ処理装置から無線受信する制御手段と、前記制御手段により無線受信された金銭の金額情報を記憶する記憶手段と、を備えることを特徴とする。
【００１４】
請求項７に記載の発明のプログラムは、売上データ処理装置のコンピュータを、無線で受信された電力により、金銭を収納するドロアをオープンするドロア装置に無線で電力を送信する電力送信手段、ドロア装置と無線で情報の通信を行う情報通信手段、この情報通信手段を介して前記ドロア装置のドロアをオープンさせるためのドロアオープン制御信号を当該ドロア装置に無線送信する制御手段、として機能させる。
【００１５】
請求項８に記載の発明のプログラムは、ドロア装置のコンピュータを、無線で電力を送信する売上データ処理装置から無線で送信される電力を受信する電力受信手段、売上データ処理装置と無線で情報の通信を行う情報通信手段、この情報通信手段を介して、金銭を収納するドロアをオープンさせるためのドロアオープン制御信号を前記売上データ装置から無線受信する制御手段、前記無線受信されたドロアオープン制御信号に基づき前記ドロアをオープンさせるドロアオープン手段、として機能させる。
【発明の効果】
【００１６】
本発明によれば、売上データ処理装置とドロア装置とが無線接続され、有線接続による制限なく売上データ処理装置とドロア装置とを配置できる。
【発明を実施するための最良の形態】
【００１７】
以下、添付図面を参照して本発明に係る好適な実施の形態を詳細に説明する。なお、本発明は、図示例に限定されるものではない。
【００１８】
先ず、図１〜図３を参照して、本実施の形態の装置構成を説明する。図１に、本実施の形態のレジスタシステム１の構成を示す。
【００１９】
本実施の形態のレジスタシステム１は、商品を販売する店舗内に設置され、顧客が購入した商品の金額、個数等の売上データの登録を行うとともに、顧客に受け渡す現金（金銭）を収納するシステムである。図１に示すように、レジスタシステム１は、売上データ処理装置１０と、ドロア装置２０と、を備える。売上データ処理装置１０と、ドロア装置２０とは、有線接続されておらず、物理的に分離されている。また、レジスタシステム１は、現金のみを扱うシステムとして説明するが、現金に加え、クレジットカード、電子マネー、各種ポイント、商品券等も扱う構成としてもよい。
【００２０】
売上データ処理装置１０は、店員等のオペレータの操作入力に応じて、商品の金額等の売上データの登録を行うとともに、ドロア装置２０に無線で電力Ｗを供給し、無線電波Ｎを介してドロア装置２０と無線通信を行う。
【００２１】
ドロア装置２０は、現金を収納するドロア（引き出し）を有し、売上データ処理装置１０から無線で供給された電力Ｗにより駆動するとともに、無線電波Ｎを介して売上データ処理装置１０と無線通信を行う。ドロア装置２０は、売上データ処理装置１０からの無線データ受信に応じて、ドロアをオープンしたり、ドロアに収納される現金の金額データ（在高）を記憶したり、その記憶された現金の金額データ（在高）を売上データ処理装置１０に無線送信する。
【００２２】
図２を参照して、売上データ処理装置１０の内部構成を説明する。図２に、売上データ処理装置１０の内部構成を示す。
【００２３】
図２に示すように、売上データ処理装置１０は、制御手段としてのＣＰＵ（Central Processing Unit）１１と、操作部１２と、ＲＡＭ（Random Access Memory）１３と、表示部１４と、記憶手段としての記憶部１５と、印刷部１６と、電力送信手段としての電力送信部１７と、情報通信手段としての情報通信部１８と、を備え、各部がバス１９を介して接続されている。
【００２４】
ＣＰＵ１１は、売上データ処理装置１０の各部を中央制御する。ＣＰＵ１１は、記憶部１５に記憶されているシステムプログラム及び各種アプリケーションプログラムの中から指定されたプログラムをＲＡＭ１３に展開し、ＲＡＭ１３に展開されたプログラムとの協働で、各種処理を実行する。
【００２５】
ＣＰＵ１１は、記憶部１５に記憶されたレジスタプログラムに従い、商品の金額等の売上データの登録処理を行い、登録処理後、電力送信部１７によりドロア装置２０に電力供給し、ドロアオープン制御信号をドロア装置２０に送信する。また、ＣＰＵ１１は、登録処理後、ドロア装置２０の在高を算出して、電力送信部１７によりドロア装置２０に電力供給し、情報通信部１８を介して、前記算出した在高をドロア装置２０に送信する。
【００２６】
また、ＣＰＵ１１は、顧客の最初の商品の金額の登録時に、電力送信部１７によりドロア装置２０に電力供給し、情報通信部１８を介してドロア装置２０が無線通信可能か否かを確認するドロア確認信号をドロア装置２０に送信し、そのレスポンスをドロア装置２０から受信すると、登録処理を続行し、そのレスポンスを受信しないと、表示部に警告表示を行う。また、ＣＰＵ１１は、ドロア装置２０を入れ替えた場合に、電力送信部１７によりドロア装置２０に電力供給し、情報通信部１８を介して、在高とドロア装置ＩＤを要求する在高及びＩＤ要求（信号）をドロア装置２０に送信する。
【００２７】
操作部１２は、文字、数字入力キー、各種機能キー及び電源キー等を備えたレジ用のキー入力部を含む構成とし、店員等のオペレータによる各キーの操作入力を受け付け、その操作情報をＣＰＵ１１に出力する。操作部１２のキー入力部は、金額キー１２１、部門キー１２２、現金預キー１２３、ドロア入替キー１２４等を含む。
【００２８】
金額キー１２１は、金額を入力するトリガを入力するためのキーである。つまり、金額キー１２１の押下に続けて商品、預かり金の金額が入力される。部門キー１２２は、商品の部門を入力するキーである。部門とは、商品を分類するための情報であり、例えば、生もの、飲料等の商品分類とする。これらの部門がオーナー、店長等により予め設定されているものとする。部門キー１２２は、部門に対応付けて設定された少なくとも一つの部門キーからなり、入力する各部門に対応する部門キーの押下により、各部門が入力される。商品の金額の入力に続けて、その商品に対応する部門キー１２２が押下入力される。
【００２９】
現金預キー１２３は、顧客から現金を預かった場合に商品の登録の完了を入力するためのキーである。現金預キー１２３の押下に応じて、商品の登録が完了するとともに、ドロア装置２０のドロア２４がオープンされる。
【００３０】
ドロア入替キー１２４は、現金回収／補充のため、既に使用されているドロア装置２０を、予め用意したドロア装置２０に入れ替える際のトリガを入力するためのキーである。なお、操作部１２は、商品に付されたバーコードを読み取るバーコードスキャナ等を備えることとしてもよい。
【００３１】
ＲＡＭ１３は、揮発性のメモリである。また、ＲＡＭ１３は、実行される各種プログラムやこれら各種プログラムに係るデータ等を格納するワークエリアを有する。
【００３２】
表示部１４は、ＬＣＤ（Liquid Crystal Display）等で構成され、ＣＰＵ１１から入力される表示信号に従って画面表示を行う。また、操作部１２は、表示部１４と一体的にタッチパネルを構成する構成としてもよい。
【００３３】
記憶部１５は、フラッシュメモリ等の情報の読み出し及び書き込みが可能な記憶部で構成される。記憶部１５には、接続先管理テーブル１５０と、部門別合計器３１と、現金取引合計器３２と、取引額３３と、在高３４と、が記憶されている。
【００３４】
接続先管理テーブル１５０は、無線接続されるドロア装置２０を管理するためのテーブルである。接続先管理テーブル１５０は、詳細に後述される。部門別合計器３１は、売上データ処理装置１０における部門別の全売上商品の合計金額のデータである。現金取引合計器３２は、現金による全売上商品の合計金額のデータである。本実施の形態では、売上データ処理装置１０が現金のみを扱う装置とし、現金取引合計器３２が、売上データ処理装置１０の全売上商品の現金の合計金額のデータとなる。
【００３５】
取引額３３は、商品の取引単位（顧客単位）の全売上商品の合計金額のデータである。在高３４は、ドロア装置２０のドロア２４に収納されている現金の合計金額のデータである。
【００３６】
部門別合計器３１、現金取引合計器３２は、売上データ処理装置１０に通信接続されたサーバ装置（図示略）に、定期的（例えば、毎日店舗の営業時間終了後）に送信され、そのサーバ装置で管理される。また、記憶部１５には、レジスタプログラムが記憶されている。
【００３７】
印刷部１６は、サーマルプリンタ等のプリンタであり、レシート用、ジャーナル用のロール紙を有し、ＣＰＵ１１から入力される制御信号に従って、各ロール紙に対して金額等のデータを印刷して、レシート、ジャーナルとして出力する。
【００３８】
電力送信部１７は、コイル１７ａを有し、ＣＰＵ１１から入力される制御信号に従って、電磁誘導方式でドロア装置２０に電力を送信して供給する回路部である。電力送信部１７は、コイル１７ａから磁束を出力し、その磁束をドロア装置２０の電力受信部２６のコイル２６ａに伝達することにより、ドロア装置２０に無線で電力供給を行う。
【００３９】
情報通信部１８は、アンテナ１８ａを有し、ＣＰＵ１１から入力される制御信号に従って、アンテナ１８ａを介した無線電波の送受信により、ドロア装置２０と無線で情報の通信を行う回路部である。情報通信部１８は、入力される送信対象のデータ信号を変調してアンテナ１８ａによりドロア装置２０の情報通信部２７のアンテナ２７ａに無線電波として送信し、またアンテナ１８ａによりドロア装置２０の情報通信部２７のアンテナ２７ａから送信された無線電波を受信し、その受信信号を復調してデータ信号を取得する。
【００４０】
次いで、図３を参照して、ドロア装置２０の内部構成を説明する。図３に、ドロア装置２０の内部構成を示す。
【００４１】
図３に示すように、ドロア装置２０は、制御手段としてのＣＰＵ２１と、ドロアオープン手段としてのドロアオープン回路２２と、ＲＡＭ２３と、ドロアとしてのドロア２４と、記憶手段としての記憶部２５と、電力受信手段としての電力受信部２６と、情報通信手段としての情報通信部２７と、を備える。ＣＰＵ２１、ドロアオープン回路２２、ＲＡＭ２３、記憶部２５、電力受信部２６及び情報通信部２７は、バス２８に接続されている。
【００４２】
ＣＰＵ２１は、ドロア装置２０の各部を中央制御する。ＣＰＵ２１は、記憶部２５に記憶されているプログラムの中から指定されたプログラムをＲＡＭ２３に展開し、ＲＡＭ２３に展開されたプログラムとの協働で、各種処理を実行する。
【００４３】
ＣＰＵ２１は、記憶部２５に記憶されたドロアプログラムに従い、電力受信部２６により売上データ処理装置１０から電力を受信し、情報通信部２７を介して売上データ処理装置１０からドロアオープン制御信号を受信すると、ドロア２４をオープンする。また、ＣＰＵ２１は、電力受信部２６によりドロア装置２０から電力を受信し、情報通信部２７を介して売上データ処理装置１０から在高を受信すると、その在高を記憶部２５に記憶する。
【００４４】
また、ＣＰＵ２１は、電力受信部２６によりドロア装置２０から電力を受信し、情報通信部２７を介して売上データ処理装置１０からドロア確認信号を受信すると、そのレスポンスを売上データ処理装置１０に送信する。また、ＣＰＵ２１は、電力受信部２６によりドロア装置２０から電力を受信し、情報通信部２７を介して売上データ処理装置１０から在高及びＩＤ要求を受信すると、在高及びドロア装置ＩＤを記憶部２５から読み出して売上データ処理装置１０に送信する。
【００４５】
ドロアオープン回路２２は、ＣＰＵ２１から入力される制御信号に応じて、ドロア２４をオープンする回路部である。ドロアオープン回路２２は、例えば、ソレノイドコイル及びプランジャを備え、ソレノイドコイルに通電することにより、閉まっている状態のドロア２４のバネをロックしているプランジャを引いてドロア２４をオープンする。
【００４６】
ＲＡＭ２３は、揮発性のメモリである。また、ＲＡＭ２３は、実行される各種プログラムやこれら各種プログラムに係るデータ等を格納するワークエリアを有する。
【００４７】
ドロア２４は、現金を収納する引き出しであり、ドロアオープン回路２２によりオープンされ、オペレータにより手動で閉められる。ドロア２４は、バネを有し、ドロア２４がオープンされる方向に、バネが引っ張られるように構成されている。ドロア２４が閉められた状態では、ドロアオープン回路２２のプランジャにバネが引っ掛けられてロックされている。
【００４８】
記憶部２５は、フラッシュメモリ等の情報の読み出し及び書き込みが可能な記憶部で構成される。記憶部２５には、ドロア装置ＩＤ４１と、在高４２と、が記憶されている。
【００４９】
ドロア装置ＩＤ４１は、自己のドロア装置２０を識別する識別情報である。在高４２は、ドロア２４に収納されている現金の合計金額のデータである。また、記憶部２５には、ドロアプログラムが記憶されている。
【００５０】
電力受信部２６は、コイル２６ａを有し、電磁誘導方式で売上データ処理装置１０から無線で電力を受信し、その電力をドロア装置２０の各部に供給する回路部である。電力受信部２６は、売上データ処理装置１０のコイル１７ａから出力された磁束がコイル２６ａに入力され、コイル２６ａに流れる電流を電力として得る。ドロア装置２０は、電力受信部２６のみを電源とし、売上データ処理装置１０から電力受信部２６に電力供給された場合にのみ、動作が可能である。
【００５１】
情報通信部２７は、アンテナ２７ａを有し、ＣＰＵ２１から入力される制御信号に従って、アンテナ２７ａを介した無線電波の送受信により、売上データ処理装置１０と無線で情報の通信を行う回路部である。情報通信部２７は、送信対象のデータ信号を変調してアンテナ２７ａにより売上データ処理装置１０の情報通信部１８のアンテナ１８ａに無線電波として送信し、またアンテナ２７ａにより売上データ処理装置１０の情報通信部１８のアンテナ１８ａから無線電波を受信し、その受信信号を復調してデータ信号を取得する。
【００５２】
次に、図４を参照して、売上データ処理装置１０の記憶部１５に記憶された接続先管理テーブル１５０を説明する。図４に、接続先管理テーブル１５０の構成を示す。
【００５３】
図４に示すように、接続先管理テーブル１５０は、売上データ処理装置ＩＤ１５１と、ドロア装置ＩＤ１５２と、を有する。売上データ処理装置ＩＤ１５１は、自己の売上データ処理装置１０を識別する識別情報である。ドロア装置ＩＤ１５２は、売上データ処理装置１０に無線接続が許可されたドロア装置２０を識別する識別情報である。
【００５４】
次に、図５〜図１０を参照して、レジスタシステム１の動作を説明する。レジスタシステム１では、通常の商品の登録処理が行われるとともに、ドロア装置２０の入れ替えにも対応している。ここで、図５を参照して、ドロア装置２０の入れ替えについて説明する。図５に、ドロア装置２０の入れ替えの様子を示す。
【００５５】
店舗業務において、売上データ処理装置のドロア内の現金を適切な量の現金（釣銭準備金）にするために、その現金の回収／補充がなされている。従来、ドロア内の現金の回収／補充は、店舗営業時間中や営業時間終了後に、店舗の現金管理者が、売上データ処理装置の設置場所（レジカウンタ）を周り、売上データ処理装置のドロアをオープンして現金を回収／補充し、回収後の在高を売上データ処理装置に登録することにより行っていた。店舗営業時間中にドロアをオープンしている間は、売上データ処理装置の登録作業ができないため、商品の登録処理に遅れが出て、顧客に迷惑をかけるおそれがあった。また、レジカウンタで現金を回収／補充する場合に、現金管理者が現金を手に持つため、その現金を悪意の人物に狙われるおそれもあった。
【００５６】
これに対し、本実施の形態では、図５に示すように、レジスタシステム１が店舗のレジカウンタに設置されているとともに、別の売上データ処理装置１０が店舗の事務室等のバックヤードにも設置されている。ドロア装置２０内の現金の回収／補充を行う場合に、先ず、現金管理者が、バックヤードで売上データ処理装置１０に入れ替え用のドロア装置２０をセットし、そのドロア２４をオープンしてお釣用等の適量の現金を収納する。そして、その在高を売上データ処理装置１０に登録することで、その在高がドロア装置２０の在高４２に記憶される。
【００５７】
売上データ処理装置１０をドロア装置２０にセットするとは、売上データ処理装置１０からドロア装置２０に電力供給及び無線通信が可能な位置に配置することとする。
【００５８】
そして、店舗営業時間中や営業時間終了後に、店舗の現金管理者が、入れ替え用のドロア装置２０をレジカウンタに運び、レジカウンタで使用しているドロア装置２０を入れ替え用のドロア装置２０に入れ替え、使用していたドロア装置２０をバックヤードに運ぶ。売上データ処理装置１０とドロア装置２０とが無線接続であるため、接続線の差し替え作業も不要で、容易に入れ替えがなされる。
【００５９】
レジカウンタでは、入れ替え後のドロア装置２０がそのまま使用される。バックヤードでは、使用していたドロア装置２０が売上データ処理装置１０にセットされ、売上データ処理装置１０により、ドロア装置２０に電力供給及び無線通信が行われ、ドロア装置２０で在高４２が記憶部２５から読み出されて売上データ処理装置１０に送信され、売上データ処理装置１０で受信された在高が表示部１４に表示され、例えば現金預キー１２３の押下に応じて、ドロア２４がオープンされる。そして、現金管理者により、ドロア２４に収納されている現金がカウントされ、カウントされた在高と、表示された在高とが比較され、現金の過不足を容易に確認できる。
【００６０】
次いで、図６〜図９を参照して、売上データ処理装置１０の動作を説明する。図６に、売上データ処理装置１０で実行されるレジスタ処理の流れを示す。図７に、レジスタ処理中の金額キー押下処理の流れを示す。図８に、レジスタ処理中の部門キー押下処理の流れを示す。図９に、レジスタ処理中の現金預キー押下処理の流れを示す。
【００６１】
売上データ処理装置１０で実行されるレジスタ処理は、通常の商品の登録処理とともに、ドロア装置２０に電力供給及び無線通信を行う処理であり、上記ドロア装置２０の入れ替えにも対応している。
【００６２】
売上データ処理装置１０において、例えば、オペレータから操作部１２を介してレジスタ処理の実行指示が入力されたことをトリガとして、記憶部１５から読み出されて適宜ＲＡＭ１３に展開されたレジスタプログラムと、ＣＰＵ１１との協働で、レジスタ処理が実行される。
【００６３】
図６に示すように、先ず、オペレータから操作部１２のドロア入替キー１２４が押下されたか否かが判別される（ステップＳ１）。ドロア入替キー１２４が押下された場合（ステップＳ１；ＹＥＳ）、電力送信部１７を介してドロア装置２０に電力が供給開始される（ステップＳ２）。そして、情報通信部１８を介してドロア装置２０に在高及びドロア装置ＩＤを要求するための在高及びＩＤ送信要求が送信される（ステップＳ３）。
【００６４】
そして、情報通信部１８を介してドロア装置２０から送信された在高及びドロア装置ＩＤを受信したか否かが判別される（ステップＳ４）。在高及びドロア装置ＩＤを受信していない場合（ステップＳ４；ＮＯ）、ステップＳ４に移行される。在高及びドロア装置ＩＤを受信した場合（ステップＳ４；ＹＥＳ）、記憶部１５に記憶された接続先管理テーブル１５０が参照され、受信したドロア装置ＩＤがドロア装置ＩＤ１５２にあるか否かが判別される（ステップＳ４ａ）。
【００６５】
受信したドロア装置ＩＤがドロア装置ＩＤ１５２にない場合（ステップＳ４ａ；ＮＯ）、無線接続中のドロア装置２０が許可されたものでなく、無線接続中のドロア装置２０が許可されたドロア装置でない旨の警告が表示部１４に表示され（ステップＳ４ｂ）、レジスタ処理が終了する。
【００６６】
受信したドロア装置ＩＤがドロア装置ＩＤ１５２にある場合（ステップＳ４ａ；ＹＥＳ）、無線接続中のドロア装置２０が許可されたものであり、受信された在高が記憶部１５の在高３４に記憶される（ステップＳ５）。そして、変数flagに１が代入され、電力送信部１７を介したドロア装置２０への電力供給が終了される（ステップＳ６）。変数flagは、ドロア装置２０に存在確認を行うか否かを示すフラグである。変数flagが１であると、ドロア装置２０に存在確認を行うことを示し、変数flagが０であると、ドロア装置２０に存在確認を行わないことを示す。存在確認とは、ドロア装置２０が、売上データ処理装置１０と無線通信が可能な状態で存在するか否かの確認であり、後述するように、無線通信可能か否かの確認である。
【００６７】
そして、オペレータから操作部１２の金額キー１２１が押下されたか否かが判別される（ステップＳ７）。金額キー１２１が押下された場合（ステップＳ７；ＹＥＳ）、商品又は預かり金の金額の登録を行う金額キー押下処理が実行され（ステップＳ８）、ステップＳ１に移行される。金額キー押下処理は、詳細に後述される。ドロア入替キー１２４が押下されていない場合（ステップＳ１；ＮＯ）、ステップＳ７に移行される。
【００６８】
金額キー１２１が押下されていない場合（ステップＳ７；ＮＯ）、オペレータから操作部１２の部門キー１２２が押下されたか否かが判別される（ステップＳ９）。部門キー１２２が押下された場合（ステップＳ９；ＹＥＳ）、部門に関する情報の登録を行う部門キー押下処理が実行され（ステップＳ１０）、ステップＳ１に移行される。部門キー押下処理は、詳細に後述される。
【００６９】
部門キー１２２が押下されていない場合（ステップＳ９；ＮＯ）、オペレータから操作部１２の現金預キー１２３が押下されたか否かが判別される（ステップＳ１１）。現金預キー１２３が押下された場合（ステップＳ１１；ＹＥＳ）、商品の登録を完了する現金預キー押下処理が実行され（ステップＳ１２）、ステップＳ１に移行される。現金預キー押下処理は、詳細に後述される。
【００７０】
現金預キー１２３が押下されていない場合（ステップＳ１１；ＮＯ）、オペレータから操作部１２を介してレジスタ処理の終了指示が入力されて、レジスタ処理を終了するか否かが判別される（ステップＳ１３）。レジスタ処理を終了する場合（ステップＳ１３；ＹＥＳ）、レジスタ処理が終了する。レジスタ処理を終了しない場合（ステップＳ１３；ＮＯ）、その他の処理が実行され（ステップＳ１４）、ステップＳ１に移行される。その他の処理とは、オペレータから操作部１２を介したボタン入力に応じた、掛売り（付け払い）、値引きの登録等の処理である。また、ステップＳ１４では、行う処理がないときは、処理を行うことなくステップＳ１に移行される。
【００７１】
図７を参照して、ステップＳ８の金額キー押下処理を説明する。先ず、変数flag が１であるか否かが判別される（ステップＳ８１）。変数flagが０である場合（ステップＳ８１；ＮＯ）、オペレータから操作部１２への商品の数値入力が受け付けられる（ステップＳ８２）。ステップＳ８２で入力される金額は、その金額入力の後、部門キー１２２が押下されると、対応する部門の商品の金額入力となり、その金額入力の後、現金預キー１２３が押下されると、顧客からの預かり金の金額入力となる。
【００７２】
そして、ステップＳ８２で受け付けられた数値がＲＡＭ１３に記憶される（ステップＳ８３）。そして、ステップＳ８３でＲＡＭ１３に記憶された数値が表示部１４に表示され（ステップＳ８４）、金額キー押下処理が終了する。
【００７３】
変数flagが１である場合（ステップＳ８１；ＹＥＳ）、現在の顧客の最初の商品の金額の登録（第一登録）であり、電力送信部１７を介してドロア装置２０に電力が供給開始される（ステップＳ８５）。そして、情報通信部１８を介してドロア装置２０に、ドロア装置２０が無線可能な状態で存在するか否かの確認のためのドロア確認信号が送信される（ステップＳ８６）。
【００７４】
そして、ドロア確認信号に対応して、情報通信部１８を介してドロア装置２０から送信されたレスポンスを受信したか否かが判別される（ステップＳ８７）。ステップＳ８７では、例えば、所定時間内にレスポンスが受信されないと、レスポンスが受信していないと判別される。レスポンスを受信した場合（ステップＳ８７；ＹＥＳ）、変数flagに０が代入され、電力送信部１７を介したドロア装置２０への電力供給が終了され（ステップＳ８８）、ステップＳ８２に移行される。
【００７５】
レスポンスを受信していない場合（ステップＳ８７；ＮＯ）、ドロア装置２０が無線可能な状態で存在しない旨の警告が表示部１４に表示され、金額キー１２１の押下がクリアされるとともに、電力送信部１７を介したドロア装置２０への電力供給が終了され（ステップＳ８９）、ステップＳ８２に移行される。
【００７６】
図８を参照して、ステップＳ１０の部門キー押下処理を説明する。先ず、ＲＡＭ１３に記憶されている商品の金額の数値が、記憶部１５の押下された部門キー１２２の種類に対応する部門別合計器３１に累計されて記憶される（ステップＳ１０１）。そして、ＲＡＭ１３に記憶されている商品の金額の数値が、記憶部１５の取引額３３に累計されて記憶される（ステップＳ１０２）。
【００７７】
そして、ＲＡＭ１３に記憶されている商品の金額と、押下された部門キー１２２の種類に対応する部門コードと、取引額３３に記憶されている取引額とが、表示部１４に表示される（ステップＳ１０３）。そして、ＲＡＭ１３に記憶されている商品の金額と、押下された部門キー１２２の種類に対応する部門コードとが、印刷部１６によりレシート及びジャーナルに印刷され（ステップＳ１０４）、部門キー押下処理が終了する。
【００７８】
図９を参照して、ステップＳ１２の現金預キー押下処理を説明する。先ず、ＲＡＭ１３に預かり金としての金額の数値が記憶されているか否かが判別される（ステップＳ１２１）。預かり金の金額の数値が記憶されている場合（ステップＳ１２１；ＹＥＳ）、ＲＡＭ１３から預かり金としての金額の数値が読み出され、記憶部１５から取引額として取引額３３の金額の数値が読み出され、取得した預かり金−取得した取引額が算出され、その算出値が釣銭としてＲＡＭ１３に記憶される（ステップＳ１２２）。そして、ＲＡＭ１３に記憶されている預かり金、釣銭が表示部１４に表示される（ステップＳ１２３）。
【００７９】
そして、記憶部１５に記憶されている取引額３３の数値が、記憶部１５の現金取引合計器３２に累計されて記憶される（ステップＳ１２４）。預かり金の金額の数値が記憶されていない場合（ステップＳ１２１；ＮＯ）、ステップＳ１２４に移行される。そして、取引額３３に記憶されている取引額が、表示部１４に表示される（ステップＳ１２５）。そして、電力送信部１７を介してドロア装置２０に電力が供給開始される（ステップＳ１２６）。そして、情報通信部１８を介してドロア装置２０にドロアオープン制御信号が送信される（ステップＳ１２７）。このとき、ドロア装置２０のドロア２４がオープンされ、オペレータにより、顧客より渡された預かり金がドロア２４に収納され、お釣りがあれば、そのお釣りがドロア２４から取り出されて顧客に手渡される。
【００８０】
そして、記憶部１５に記憶されている取引額３３の数値が、記憶部１５に記憶されている在高３４の数値に加算される（ステップＳ１２８）。そして、記憶部１５に記憶されている在高３４が在高として読み出され、情報通信部１８を介してドロア装置２０に読み出された在高が送信される（ステップＳ１２９）。そして、記憶部１５に記憶されている取引額３３の数値が、印刷部１６によりレシート及びジャーナルに印刷される（ステップＳ１３０）。ステップＳ１３０では、取引額と預かり金が異なる場合には、ＲＡＭ１３に記憶されている預かり金及び釣銭もレシート及びジャーナルに印刷される。
【００８１】
そして、ＲＡＭ１３に記憶されている取引額、在高、預かり金、釣銭の情報がクリアされる（ステップＳ１３１）。そして、変数flagに１が代入され、電力送信部１７を介したドロア装置２０への電力供給が終了され（ステップＳ１３２）、現金預キー押下処理が終了する。ステップＳ１３２の電力供給終了は、ドロア装置２０の在高記憶が確定してからでもよい。
【００８２】
次いで、図１０を参照して、ドロア装置２０の動作を説明する。図１０に、ドロア装置２０で実行されるドロア処理の流れを示す。
【００８３】
ドロア処理は、売上データ処理装置１０の要求に応じて、ドロア２４をオープンしたり、情報を売上データ処理装置１０に送信する処理である。ドロア装置２０において、レジスタ処理のステップＳ２，Ｓ８５，Ｓ１２６に対応して、電力受信部２６により売上データ処理装置１０から供給される電力を受信したことをトリガとして、記憶部２５から読み出されてＲＡＭ２３に展開されたドロアプログラムと、ＣＰＵ２１との協働により、ドロア処理が実行される。なお、レジスタ処理のステップＳ６，Ｓ８８，Ｓ８９，Ｓ１３２に対応して、電力受信部２６による売上データ処理装置１０からの電力受信が終了すると、ドロア処理も終了する。
【００８４】
図１０に示すように、先ず、レジスタ処理のステップＳ１２７に対応して、情報通信部２７を介して売上データ処理装置１０からドロアオープン制御信号を受信したか否かが判別される（ステップＳ２０１）。ドロアオープン制御信号を受信した場合（ステップＳ２０１；ＹＥＳ）、ドロアオープン回路２２により、ドロア２４がオープンされ（ステップＳ２０２）、ステップＳ２０１に移行される。
【００８５】
ドロアオープン制御信号を受信していない場合（ステップＳ２０１；ＮＯ）、レジスタ処理のステップＳ８６に対応して、情報通信部２７を介して売上データ処理装置１０からドロア確認信号を受信したか否かが判別される（ステップＳ２０３）。ドロア確認信号を受信した場合（ステップＳ２０３；ＹＥＳ）、情報通信部２７を介して、ドロア装置２０が無線通信可能な状態で存在する旨のレスポンスが売上データ処理装置１０に送信され（ステップＳ２０４）、ステップＳ２０１に移行される。
【００８６】
ドロア確認信号を受信していない場合（ステップＳ２０３；ＮＯ）、レジスタ処理のステップＳ３に対応して、情報通信部２７を介して売上データ処理装置１０から在高及びＩＤ送信要求を受信したか否かが判別される（ステップＳ２０５）。在高及びＩＤ送信要求を受信した場合（ステップＳ２０５；ＹＥＳ）、記憶部２５の在高４２、ドロア装置ＩＤ４１から在高及びドロア装置ＩＤが読み出され、情報通信部２７を介して、読み出した在高及びドロア装置ＩＤが売上データ処理装置１０に送信され（ステップＳ２０６）、ステップＳ２０１に移行される。
【００８７】
在高及びＩＤ送信要求を受信していない場合（ステップＳ２０５；ＮＯ）、レジスタ処理のステップＳ１２９に対応して、情報通信部２７を介して売上データ処理装置１０から在高を受信したか否かが判別される（ステップＳ２０７）。在高を受信した場合（ステップＳ２０７；ＹＥＳ）、受信された在高が記憶部２５の在高４２に記憶され（ステップＳ２０８）、ステップＳ２０１に移行される。在高を受信していない場合（ステップＳ２０７；ＮＯ）、ステップＳ２０１に移行される。
【００８８】
以上、本実施の形態によれば、売上データ処理装置１０とドロア装置２０とが、無線の電力供給を可能に接続される。このため、有線接続による制限なく、売上データ処理装置１０とドロア装置２０とを、無線接続できる範囲で自在に配置できる。
【００８９】
また、売上データ処理装置１０が、ドロア装置２０に無線で電力送信し、ドロア装置２０をオープンする場合に、ドロアオープン制御信号をドロア装置２０へ無線送信する。そして、ドロア装置２０が、売上データ処理装置１０から無線で電力受信し、ドロアオープン制御信号を売上データ処理装置１０から受信し、ドロアオープン回路２２によりドロア２４をオープンする。このため、売上データ処理装置１０からドロア装置２０へ電力を供給してドロア２４を自在にオープンすることができる。
【００９０】
また、売上データ処理装置１０が、ドロア装置２０の入れ替え後に、ドロア入替キー１２４が押下されると、ドロア装置２０に無線で電力を送信し、在高要求をドロア装置２０へ無線送信する。そして、ドロア装置２０が、売上データ処理装置１０から無線で電力受信し、在高要求を売上データ処理装置１０から無線受信し、記憶部２５の在高４２から在高を読み出して売上データ処理装置１０に無線送信する。そして、売上データ処理装置１０が、在高をドロア装置２０から受信して記憶部１５に記憶する。このため、ドロア装置２０の入れ替え後に、売上データ処理装置１０が、新しいドロア装置２０の在高を確実に取得でき、その在高を記憶部１５に記憶できる。
【００９１】
また、売上データ処理装置１０が、登録処理後の在高を算出して記憶部１５に記憶された在高３４を更新し、ドロア装置２０に無線で電力を送信し、当該更新後の在高をドロア装置２０へ無線送信する。そして、ドロア装置２０が、売上データ処理装置１０から無線で電力受信し、在高を売上データ処理装置１０から無線受信し、当該受信した在高を記憶部２５に在高４２として記憶する。このため、ドロア装置２０の記憶部２５に在高を記憶させることができる。また、現金回収／補充のためにドロア装置２０を自在に入れ替えて、バックヤードで、使用されていたドロア装置２０のドロア２４に収納された現金の金額と、記憶部２５に記憶されている在高４２（の表示部１４における表示）とを現金管理者が比較して、ドロア２４に収納された現金を容易に確認できる。
【００９２】
なお、上記実施の形態における記述は、本発明に係る売上データ処理装置、ドロア装置及びプログラムの一例であり、これに限定されるものではない。
【００９３】
例えば、上記実施の形態では、売上データ処理装置１０、ドロア装置２０が、それぞれ、電磁誘導型の電力送信部１７、電力受信部２６を備え、電磁誘導方式の無線電力供給がなされる構成であったが、これに限定されるものではない。例えば、売上データ処理装置１０、ドロア装置２０が、それぞれ、電波受信型又は共鳴型の電力送信手段、電力受信手段を備え、電磁誘導方式の無線電力供給がなされる構成としてもよい。電波受信方式の電力供給では、電力送信手段が送信アンテナから電波を送信し、その電波を電波受信型の電力受信手段が受信アンテナで受信し、得られるアンテナ電流を電力として利用する。共鳴型の電力供給では、電力送信手段、電力受信手段がそれぞれＬＣ共振器を有し、ＬＣ共振器同士の電場だけ、磁場だけの共鳴を利用して電力が供給される。また、電波受信型又は共鳴型の電力供給では、売上データ処理装置１０とドロア装置２０との間に障害物があるとしても、電力供給が可能である。
【００９４】
また、上記実施の形態では、ドロア装置２０が、ドロアオープン回路２２、電力受信部２６、情報通信部２７を有し、電力受信部２６が、ＣＰＵ１１等の各部と、ドロアオープン回路２２とに電力を供給する構成であったが、これに限定されるものではない。
【００９５】
図１１を参照して、上記実施の形態の変形例としてのレジスタシステム２を説明する。図１１に、レジスタシステム２の概略構成を示す。
【００９６】
レジスタシステム２は、売上データ処理装置１０Ａと、ドロア装置２０Ａと、を備える。売上データ処理装置１０Ａは、電力送信部１７Ａと、Ｒ／Ｗ（リーダライタ）部１８Ａと、を備える。ドロア装置２０Ａは、ドロア２４と、ＲＦＩＤ（Radio Frequency IDentification）２０αと、電力受信部２６Ａと、を備える。
【００９７】
電力送信部１７Ａは、ドロア２４をオープンするための電力を電力受信部２６Ａに無線送信する。Ｒ／Ｗ部１８Ａは、売上データ処理装置１０Ａ内のＣＰＵの制御により、ＲＦＩＤ２０αに無線で電力を供給するとともに、無線信号の送受信でＲＦＩＤ２０αのメモリの情報の読み出し及び書き込みを行う。
【００９８】
ＲＦＩＤ２０αは、電磁誘導型等のＲＦＩＤであり、ＣＰＵと、ＲＡＭと、プログラムメモリと、ドロア装置ＩＤ４１及び在高４２を記憶する書き換え可能なメモリと、電力送信部及び情報通信部（コイル）と、を有する。また、ＲＦＩＤ２０αは、Ｒ／Ｗ部１８Ａから電力受信するとともに、Ｒ／Ｗ部１８Ａから無線送信される信号に応じて、メモリ内のドロア装置ＩＤ４１、在高４２を読み出し又は書き込みし、ドロア装置ＩＤを売上データ処理装置１０Ａに無線送信する。
【００９９】
電力受信部２６Ａは、電磁誘導型等の電力受信部であり、ドロアオープン回路２２を有する。電力受信部２６Ａは、売上データ処理装置１０Ａから受信した電力により、ドロアオープン回路２２を駆動してドロア２４をオープンする。電力受信部２６Ａは、ＣＰＵ等に接続されない。ドロアオープン回路２２は、ドロア２４のバネに掛けられたプランジャを有するコイルと、コンデンサと、を有し、売上データ処理装置１０Ａから受信した電力の電荷がコンデンサに所定量貯まると、その電荷がコイルに流れてプランジャが引かれ、ドロア２４をオープンする構成とする。なお、電力受信部２６Ａは、ドロア装置２０と同様に、ＣＰＵ、ＲＡＭ、ＲＯＭ等が接続される構成としてもよい。
【０１００】
つまり、レジスタシステム２では、無線信号の送受信の構成及びその部分への無線の電力供給の構成を、Ｒ／Ｗ部１８Ａ及びＲＦＩＤ２０αで構成し、ドロア２４を無線でオープンする構成及びその部分への無線の電力供給の構成を、電力送信部１７Ａ及び電力受信部２６Ａで構成する。このため、レジスタシステム１と同様の効果を奏するとともに、無線による通信及び電力供給を行うレジスタシステムを容易且つ安価に構成することができる。
【０１０１】
また、上記実施の形態及び変形例におけるレジスタシステム１、２の各構成要素の細部構成及び細部動作に関しては、本発明の趣旨を逸脱することのない範囲で適宜変更可能であることは勿論である。
【０１０２】
以上の説明では、本発明に係るプログラムのコンピュータ読み取り可能な媒体として記憶部１５、記憶部２５を使用した例を開示したが、この例に限定されない。
その他のコンピュータ読み取り可能な媒体として、フラッシュメモリ等の不揮発性メモリ、ＣＤ-ＲＯＭ等の可搬型記録媒体を適用することが可能である。
また、本発明に係るプログラムのデータを通信回線を介して提供する媒体として、キャリアウエーブ(搬送波)も本発明に適用される。
【図面の簡単な説明】
【０１０３】
【図１】本発明に係る実施の形態のレジスタシステムの構成を示すブロック図である。
【図２】売上データ処理装置の内部構成を示すブロック図である。
【図３】ドロア装置の内部構成を示すブロック図である。
【図４】接続先管理テーブルの構成を示す図である。
【図５】ドロア装置の入れ替えの様子を示す図である。
【図６】売上データ処理装置で実行されるレジスタ処理を示すフローチャートである。
【図７】レジスタ処理中の金額キー押下処理を示すフローチャートである。
【図８】レジスタ処理中の部門キー押下処理を示すフローチャートである。
【図９】レジスタ処理中の現金預キー押下処理を示すフローチャートである。
【図１０】ドロア装置で実行されるドロア処理を示すフローチャートである。
【図１１】変形例のレジスタシステムの概略構成を示す図である。
【符号の説明】
【０１０４】
１，２  レジスタシステム
１０，１０Ａ  売上データ処理装置
１１  ＣＰＵ
１２  操作部
１２１  金額キー
１２２  部門キー
１２３  現金預キー
１２４  ドロア入替キー
１３  ＲＡＭ
１４  表示部
１５  記憶部
１６  印刷部
１７，１７Ａ  電力送信部
１７ａ  コイル
１８  情報通信部
１８Ａ  Ｒ／Ｗ部
１８ａ  アンテナ
１９  バス
２０，２０Ａ  ドロア装置
２１  ＣＰＵ
２２  ドロアオープン回路
２３  ＲＡＭ
２４  ドロア
２５  記憶部
２６，２６Ａ  電力受信部
２６ａ  コイル
２７  情報通信部
２７ａ  アンテナ
２８  バス
２０α  ＲＦＩＤ
【図１】
2010079687.tif 000003
【図２】
2010079687.tif 000004
【図３】
2010079687.tif 000005
【図４】
2010079687.tif 000006
【図５】
2010079687.tif 000007
【図６】
2010079687.tif 000008
【図７】
2010079687.tif 000009
【図８】
2010079687.tif 000010
【図９】
2010079687.tif 000011
【図１０】
2010079687.tif 000012
【図１１】
2010079687.tif 000013